(57)【要約】【課題】  本発明は、実務用品、櫛・鉛筆・カード・歯刷子等、食卓用品、箸・杓・包丁等・食品穀物・野菜・肉等対象物を、相対状支柱・複数支柱（２ｂ）で捕捉、弁（７）を介し香成分が添加される。【解決手段】  前記課題を解消に本発明の器具は、支柱（２）支柱（２a）に対象物を狭留、弁（７）を介し香成分添加。支柱（２ｂ）の籠形器具で加熱気流に触れつつ、槽（８ｂ）から弁（７ｂ）を介し香成分添加、籠形内に袋状槽（８ｂ）内で流動状対象物加工・蒸す・燻製・煮炊・麹菌で加工等加熱器の補助を受けつつ弁を介し香成分添加。【選択図】  図１
2007130040.tif 000002
【特許請求の範囲】
【請求項１】
中空円柱状基台（５）に底面が接続され、基台底面に弁（７a）が継続され、基台中空に香料（B）が充填されている、基台（５）壁に弛い角度の円すい勾配が設けられ、基台中空に頭を切った弛い角度の逆円すい匂配が設けられている円柱台（４）の一部が嵌合されている、円柱台（４）に円柱（１）が接続され、円柱台と円柱に通気穴（６）が開通され、円柱上部に曲角度調整可能な柔軟質支柱（２）柔軟質支柱（２a）が相対状に接続され、通気穴と支柱（２）支枝（２a）の分岐点（D）中心に補強肉盛され、支柱（２）の穴（３）支柱（２a）の穴（３a）に紐（１９）が留置されている、分岐点の相対支柱密接時弁（７）閉鎖・分岐点の相対支柱曲角度時弁（７）開放可能に構成されている。
【請求項２】
通気穴（６a）外周位置の円柱台（４a）に曲角度調整可能な柔軟質の複数支柱（２b）が点環状に接続されている、支柱（２b）は容量調整可能な籠形容器に成形されている、支柱（２b）容器内に薄柔軟質袋状槽（８a）が収容されている、複数穴（３b）に紐（１９）が通し締され、袋状槽に継続されている。
【請求項３】
枠（１０a）に台板（１１）が接続され、枠に基台（５a）が継続され、台板に制御室（１３）と転回器（１６）が接続されている、基台（５a）に円柱台（４a）が嵌合され、円柱台に通気穴（６a）が開通され、通気穴に貫通状の香管（９）が昇・降移動可能に嵌合され、上部香管は槽（８a）中空で弁（７b）に継続され、下部香管は基台下部位置で香管（９a）に継続され、香管は環形操作捍（１４a）に保持され、伸・縮・曲運動可能なゴム管（１２）に継続され、ゴム管は槽（８ｂ）に継続されている、槽（８b）は伝動柱（１７）に接続され、伝動柱は転回移動可能な転回器（１６）の制御ネジ（１８）に嵌合されている、管状制御室（１３）中空に操作捍（１４）が遊嵌され、制御室中空に薄い弾力性制御板（１５）が操作捍の歯止状に嵌合され、握手操作捍（１４b）は昇・降移動可能に継続されている。
【発明の詳細な説明】
【技術分野】
【０００１】
本発明は、日常生活の実務用品や食卓の備品、又は食物の炊事等対象物の実務用と炊事加工用に分れる。其台中空壁に弛い逆円錐勾配の円柱台一部が基台に嵌合され自重で締留、円柱台の嵌合局部に衝撃・振圧・転回等に暖和作動が働く容器で、対象物を収容させる装置は、相対支柱と複数支柱に分類される。円柱台と円柱に通気穴が開通され、円柱から柔軟質相対状支柱に分割された分岐点の通気穴に弁が設けられ、分岐点を中心に補強肉盛され、分岐点が密接の時弁開鎖・分岐点が曲角度の時弁開放される。相対支柱の穴から紐で対象物が固定又は飾り紐にされる。基台に通気穴が開通されている円柱台が嵌合され、通気穴に香管が貫通され、円柱台に柔軟質複数支柱が籠形容器に形成され、容器中空に香管が擁立の先に弁が接続され、籠形容器に金属箔が内張された袋状槽に形成されている。加熱器上の枠に台板が接続され、枠に基台が継続され、台板に制御器と転回器が設けられている。籠形槽中空に弁設置香管が制御室の操作捍で昇・降可能に嵌合され、香管に伸・縮・曲度可能なゴム管が接続され、ゴム管は香料又は調味料収容槽に継続され、槽は伝動柱の介在で約１８０度移動可能な転回器に継続されている。
【０００２】
枠内の複数基台から基台を脱出させ利用の時、中空円柱状基台中空に香料を充填させ、生活実務用品は櫛・鉛筆等、食卓備品は箸・包丁等、装飾品はブローチ・髪飾等を相対支柱に狭留で香成分が添加される。食物の炊事は肉・野菜等を相対支柱に狭留で香成分添加されつつ網・鍋等に収容させ加熱で熟成される。
【０００３】
籠形容器に野菜・肉等の食物が収容され、袋状槽に穀物・水等食物が収容され、籠形容器又は袋状槽内に添加剤放射弁が擁立され、弁に継続香管が保持される環形操作捍の作動で放射弁の昇・降位置が調整される。転回槽に香料・調味料・酵母菌等添加剤が収容され、伝動柱の介在で転回槽は１８０度の転回位置が選択移動される。
【０００４】
加熱器で食物収容籠形容器又は袋状槽の壁を炙りつつ基台に嵌合円柱台を転回させ均衡に加熱される。添加剤収容転回槽の最良位置と温度調整の添加剤が香管を介し食物槽体内の弁から添加剤の放射加工例を挙げる。籠形容器外郭から加熱され食物が炙られる、袋状槽開放で煮炊や湯通し又は食物のあく抜き。袋状槽閉鎖で燻製室や穀物等に酵母又は麹菌を配合加工等多様な対象物の香成分添加器に関するものである。
【背景技術】
【０００５】
従来は、日常生活に利用される机上の文具器・棚上の櫛や歯刷子、食卓上の箸や包丁等生活用品の除菌や芳香に香料容器から粉剤・液剤・香気化剤等を対象物に振り掛け又はポンプ等を介し対象物に香成分の直接添加が多く外気中で収容添加は珍しい。食物を炊事の時、鍋・釜・燻製器等の容器に食物が収容され焦付を防ぐ既製の州床が利用される、食物を焼く時、網・串又は針で宙釣等で保持され、コンロ・バーナ・デンジ・炉・炭火等加熱器の熱で煮炊・炙る・燻す・蒸す等加工と共に調味料・香辛料・酒から選択調味料で味付け工程中、あるいは単独の、桜・梅・白檀・ラベンダ等から選択香素材のチップ・香成分を絞り出した液又は気流を加工中の食物に添加させる。
〔特許文献１〕  特開２００３−１１６４５７  公報
〔特許文献２〕  特開２００４−２０１６６５  公報
〔特許文献３〕  特開                        公報
【発明の開示】
【発明が解決しようとする課題】
【０００６】
本発明は、加熱器上に筒状枠が載置され、枠内に複数基台が継続され、枠側部に槽が接続され、槽上部に香管が接続され、香管に蓋が嵌合、蓋に弁が接続され、弁にポンプが継続され、槽と枠の接続局部の槽低部に香管が接続され、香管は枠を貫通され弁に継続されている。中空円柱状基台に底面が接続され、基台底面に弁が継続され、基台単独利用の場合は香料が充填されている。基台壁に弛い角度の円すい勾配が設けられ、基台中空に頭を切った弛い角度の逆円すい勾配が設けられている円柱台の一部が嵌合されている。円柱台に円柱が接続され、円柱台と円柱に通気穴が開通され、円柱上部に曲角度調整可能な柔軟質支柱と柔軟質支柱が相対状に接続され、通気穴と相対支柱の分岐点を中心に補強肉盛され、支柱先端の穴と支柱先端の穴に紐が留置されている、分岐点の相対支柱が密接の時弁閉鎖・分岐点の相対支柱曲角度の時は弁開放可能に構成されている。
【０００７】
通気穴外周位置円柱台に曲角度調整可能な柔軟質の複数支柱が点環状に接続されている、支柱は容量調整可能な籠形に成形されている、籠形支柱内に薄柔軟質袋状槽が収容されている。支柱先端の複数穴に紐が通し締され、袋状槽の端辺に継続されている。
【０００８】
加熱器上の枠に台板が接続され、枠に基台が継続され、台板に制御室と転回器が接続されている、基台に円柱台が嵌合され、円柱台に通気穴が開通され、通気穴に貫通状の香管が昇降移動可能に嵌合され、上部香管は槽中空で弁に継続され、下部香管は基台下部位置で中継香管に継続され、香管は環形操作捍に保持され、伸・縮・曲運動可能なゴム管に継続されゴム管は槽に継続されている。槽外部に加熱器、壁にポンプ継続弁が設けられ、槽は伝動柱に接続され、伝動柱は転回移動可能な転回器の制御ネジに嵌合され、管状制御室中空に操作捍が遊嵌され、制御室中空に薄い弾力性制御板が操作捍の歯止状に嵌合され、握手操作捍は、昇・降可能に継続等の機能で従来技術の欠陥が解消される香成分添加器を提供するものである。
【課題を解決するための手段】
【０００９】
課題を解決するための手段、本発明は、中空円柱状基台（５）に底面が接続され、基台底面に弁（７ａ）が継続され、基台中空に香料（８）が充填されている、基台（５）壁に弛い角度の円すい匂配が設けられ、基台中空に頭を切った弛い角度の逆円すい匂配が設けられている円柱台（４）の一部が嵌合されている、円柱台（４）に円柱（１）が接続され、円柱台と円柱に通気穴（６）が開通され、円柱上部に曲角度調整可能な柔軟質支柱（２）柔質支柱（２ａ）が相対状に接続され、通気穴と支柱（２）支柱（２ａ）の分岐点（Ｄ）中心に補強肉盛され、支柱（２）の穴（３）支柱（２ａ）の穴（３ａ）に紐（１９）が留置されている、分岐点の相対支柱密接時弁（７）閉鎖・分岐点の相対支柱曲角度時弁（７）開放可能に構成されている。
通気穴（６ａ）外周位置の円柱台（４ａ）に曲角度調整可能な柔軟質の複数支柱（２ｂ）が点環状に接続されている、支柱（２ｂ）は容量調整可能な籠形容器に成形されている、支柱（２ｂ）容器内に薄柔軟質袋状槽（８ａ）が収容されている、複数穴（３ｂ）に紐（１９）が通し締され袋状槽に継続されている。
枠（１０ａ）に台板（１１）が接続され、枠に基台（５ａ）が継続され、台板に制御室（１３）と転回器（１６）が接続されている、基台（５ａ）に円柱台（４ａ）が嵌合され、円柱台に通気穴（６ａ）が開通され、通気穴に貫通状の香管（９）が昇・降移動可能に嵌合され、上部香管は槽（８ａ）中空で弁（７ｂ）に継続され、下部香管は基台下部位置で香管（９ａ）に継続され、香管は環形操作捍（１４ａ）に保持され、伸・縮・曲運動可能なゴム管（１２）に継続され、ゴム管は槽（８ｂ）に継続されている。槽（８ｂ）は伝動柱（１７）に接続され、伝動柱は転回移動可能な転回器（１６）の制御ネジ（１８）に嵌合されている、管状制御室（１３）中空に操作捍（１４）が遊嵌され、制御室中空に薄い弾力性制御板（１５）が操作捍の歯止状に嵌合され、握手操作捍（１５ｂ）は昇・降移動可能に継続されている請求項１、請求項２、請求項３に記載の構成に関するもので日常生活の実務用品や食卓の備品、更に食物の炊事用具等に単独、又は共用に利用される香成分添加器である。
【発明の効果】
【００１０】
本発明の効果の例を挙げる、中空円柱状基台（５）に底面が接続され、基台底面に弁（７ａ）が継続され、基台中空にラベンダー・百檀等の溶液香料（Ｂ）が充填され、基台中空の円柱台に相対支柱が接続され実務用品櫛・鉛筆等・食卓備品箸・包丁等・装飾品ブローチ・髪飾等を相対支柱に狭留で弁（７）開き香成分添加される。食物の炊事は肉・野菜等を相対支柱に狭留させ桜・さんしょうの絞り液等香成分を弁（７）から添加させつつ網・鍋等に収容させ加熱で熟成される。支柱（２ｂ）籠形容器内に肉・野菜等を収容させ、加熱器で外部から炙りつつ均衡な加熱に円柱台（４）を転回させ、容器中空部の弁（７ｂ）から香成分が添加される。支柱（２ｂ）・内装袋状槽（８ａ）に穀物・野菜・肉等を収容させ煮炊・湯通しや食物のあく抜・袋状槽密閉で燻製室の役目又は槽（８ａ）に穀物等を収容させ槽（８ｂ）に酵母等を収容、香管に経由され槽（８ａ）の食物に添加熟成される。
【００１１】
高温加熱器（Ｃ）上に載置枠（１０）枠（１０ａ）の材質は、選択耐火セメントを水で粘り成形後高温と冷却を繰り返す毎に粘り硬度が増加され、膨張係数や熱伝導性低く断熱・断電流等に特異性がある。（公知の石墨即ち黒鉛の用途は塑性・耐火性・熱や電気の伝導性に富み、多くの試薬にも反応せず、また他の物質や液体によく混合する等の性質を持つため、潤滑剤・るつぼ・鋳物の型の表面仕上げ・バッキング材料・製鋼・電池の電極・炭素端子・電解槽・軸受や軸・電気具の接点・炉の内張等に利用。三次元的な鋼目構造要素の黒鉛と耐火セメントを混合させ、均衡な肉厚の基台（５）基台（５ａ）に成型された枠と基台を、容器に収容させ砂と撹拌摩擦で滑面加工される。基台中空壁の円すい匂配と鉄・銅合金材等円柱台（４）の逆円すい体の約３＼１が嵌合され自重で嵌締、器具の加熱時円柱台の熱膨張・振圧等運動力は基台の開放部に働き軽く転回でき得る。更に基台内壁の円すい匂配と円柱台の逆円すい匂配接点下部の角度差で振圧が制御され安定が計られる。
【００１２】
加熱器（Ｃ）上の枠（１０ａ）に台板（１１）が接続され、台板に制御室（１３）と転回器（１６）が接続され、枠に基台（５ａ）が接続され、基台に円柱台（４ａ）が嵌合され、円柱台に通気穴（６ａ）が開通され、通気穴周囲の円柱台に複数の柔軟質支柱（２ｂ）が接続され、支柱は籠形容器に成形され、容器内に袋状槽（８ａ）が収容されている。
円柱台（４ａ）に通気穴（６ａ）が開通され、通気穴に香管（９）が貫通され、香管上部は籠形容器中空で弁（７ｂ）が継続され、香管下部は香管（９ａ）に継続され環形操作捍（１４ａ）に保持され、香管はゴム管（１２）を介し槽（８ｂ）に継続され、槽外部に温度調整加熱器（Ｃ）とポンプ継続弁（７ｃ）弁（７ｂ）が設けられ、槽に伝動柱（１７）が接続され、伝動柱に転回器（１６）が継続され、転回器作動で槽（８ｂ）の転回移動が制御される。槽（８ｂ）高位置１８０度を標準に食物加工状況で任意角度に調整され、液体香料又は調味料収容槽（８ｂ）から落差運動で香管に経由され弁（７ｂ）から槽内の食物に添加される。槽（８ｂ）平行位置９０度の時、香木チップ材収容槽が加熱され香管経由で弁から食物収容槽内で添加される。槽（８ｂ）低位置０度の時、槽に収容香料の加熱又は酵母菌の醗酵等の蒸発気化剤・揮発性調味料等が香管を経由され弁（７ｂ）から槽内の食物に放射添加される。槽（８ｂ）の高・低運動、香管（９）の昇・降運動、香木又は調味基材が加熱で起る流動圧、補助ポンプ圧等の作動が相俟って、支柱を任意形状の曲折容器内に食物が捕促され加熱器で熟成時に香成分添加器で香料や調味料が食物に添加される効果の一例である。
【発明を実施するための最良の形態】
【００１３】
本発明の実施例を図面で説明する。加熱器（Ｃ）上に筒状枠（１０）が載置され、枠内に複数の基台（５）が台板（１１ａ）を介し継続され、枠側部に槽（８）が接続され、槽上部に香管（９ｃ）が接続され、香管に蓋（２０）が嵌合され、蓋に弁（７ｃ）が接続され、弁にポンプ（Ａ）が継続され、槽と枠の接続部の槽底部に香管（９ｂ）が継続され、香管は枠（１０）を貫通、弁（７ａ）に継続されている。中空円柱状基台（５）に底面が接続され、基台底面に弁（７ａ）が継続され基台を単独利用の場合は、基台中空に香料（Ｂ）を充填させ枠から脱出利用。基台（５）壁に弛い角度の円すい匂配が設けられ、基台中空に頭を切った弛い角度の逆円すい匂配が設けられている円柱台（４）の一部が嵌合されている。円柱台（４）に円柱（１）が接続され、円柱台と円柱に通気穴（６）が開通され、円柱上部に柔軟質支柱（２）支柱（２ａ）が相対状に接続され、通気穴と支柱（２）支柱（２ａ）分岐点（Ｄ）の中心に補強肉盛され、支柱（２）の穴（３）支柱（２ａ）の穴（３ａ）に紐（１９）が留置されている。分岐点（Ｄ）の相対支柱が密接の時弁（７）閉鎖・分岐点（Ｄ）の相対支柱曲角度の時弁（７）開放可能に構成されている。
【００１４】
通気穴（６ａ）外周位置の円柱台（４ａ）に曲角度調整可能な柔軟質の複数支柱（２ｂ）が点環状に接続されている、支柱（２ｂ）は容量調整可能な籠形容器に成形されている、支柱（２ｂ）容器内に薄柔軟質の袋状槽（８ａ）が収容されている、支柱先端の複数穴（３ｂ）に紐（１９）が通し締され、袋状槽に継続されている。
【００１５】
加熱器（Ｃ）上の枠（１０ａ）に台板（１１）が接続され、枠に基台（５ａ）が繋ぎ  台板（１１ａ）を介し継続され、台板に制御室（１３）と転回器（１６）が接続されている。基台（５ａ）に円柱台（４ａ）が嵌合され、円柱台に通気穴（６ａ）が開通され、通気穴に貫通状の香管（９）が昇・降可能に嵌合され、上部香管は槽（８ａ）中空で弁（７ｂ）に継続され、下部香管は基台下部位置で香管（９ａ）に継続され、香管は環形操作桿（１４ａ）に保持され、伸・縮・曲運動可能なゴム管（１２）に継続され、ゴム管は槽（８ｂ）に継続されている。槽（８ｂ）外郭に加熱器（Ｃ）壁にポンプ継続弁（７ｅ）弁（７ｄ）が設けられ、槽は伝動柱（１７）に接続され、伝動柱は転回移動可能な転回器（１６）の制御ネジ（１８）に嵌合されている。管状制御室（１３）中空に操作桿（１４）が遊嵌され、制御室中空に薄い弾力性制御板（１５）が操作桿の歯止状に嵌合され、握手操作桿（１４ｂ）は昇・降移動可能に継続されている香成分添加器である。
【実施例】
【００１６】
本発明の実施例を簡単に説明する。図で示す実施例を基に要点の概算寸法を粍で現す。
枠（１０）は枡状の一辺１２０、高さ５０、肉厚１０（耐火セメント）槽（８）は枠に接触面長さ６０、幅３０、高さ４０、肉厚０．５長立体（不銹鋼）槽上部香管（９ｃ）径１５、高さ１８、肉厚１、蓋（２０）は径１５の組ネジ設け中央に弁（７Ｃ）が接続され弁にポンプが継続され、槽下部は香管（９ｂ）径８、肉厚０．４、槽か基台（５）の弁（７ａ）４基に継続（不銹鋼）基台（５）は外径４８、内径２４、高さ２６、内厚８内壁に円すい角度５度、基台底面に受板の外径４０、肉厚２中央に（黒鉛２耐火セメント８混合）径８の弁（７ａ）が接続され、基台受皿に網目４０、高さ５、幅１で４基１．６ヶ所に台板（１１ａ）が継続されている。円柱台（４）は頭を切った逆円すい匂配５度、高さ２０、頂上外径２６が基台中空に嵌合（鉄の錘）円柱台に円柱（１）径３長さ６０が接続され、円柱台から１０の位置で分岐点（Ｄ）柔軟質支柱（２）支柱（２ａ）に分割され、分岐点の１０上周から円柱台に至る円すい匂配２０度補強肉盛され、円柱台と分岐点に通気穴（６）の通気入口径２分岐点径１匂配の通穴は弁（７）役割。相対支柱先端は径４、の円板に圧延、円板中心に径２、の穴（３）、（３ａ）が開通され、穴に径１．５、長さ２０、円形鎖が留置され、槽（８ａ）肉厚０．２焼鈍銅合金が利用されている。
【００１７】
枠（１０ａ）枡形一辺１２０、高さ８０、肉厚１０（耐火セメント）に台板（１１）長さ１２０、幅３５、厚さ８が、接続の基台（５ａ）径４８、内径２８、高さ３０、中空壁の円すい匂配５度（黒鉛２耐火セメント８）円柱台（４ａ）径３０、逆円すい勾配５度、高さ３０（鉄錘）円柱台に支枝（２ｂ）４・３楕円棒の長さ１００６本が接続され支柱先端は板状円形径８に圧延、円形中心に穴（３ｂ）径５に紐（１９）径４長さ３００、円形鎖が継続されている。円柱台（４ａ）中空に貫通状香管（９）径８が昇・降可能に嵌合され、香管に弁（７ｂ）が継続され、弁は円柱台から３０、突出されている。香管は基台下部位置で香管（９ａ）に継続され、台板（１１）中央の制御室（１３）１２・３０角管の高さ３０、肉厚１、制御室中空に制御板（１５）幅２６、長さ２５、肉厚０．３、山形曲度６が中空に挿入（鋼硬質板）制御室中空に操作捍（１４）２８・６角棒長さ１００、下部位置の環形操作捍（１４ａ）に香管が支持され、上部の握手操作捍（１４ｂ）運動で昇２０、降２０移動可能である。台板（１１）端部に転回器（１６）が接続され、転回器に伝動柱（１７）が１８０度転向可能に制御ネジ（１８）で制御され、伝動柱（１７）２０・６角棒長さ８０が槽（８ｂ）に接続されている。香管（９ａ）端部にウレタン材料ゴム管（１２）の介在で槽５０・６０・６０・の立方体で肉厚０．４（不銹鋼）が継続、槽上部に香    蓋（２０ａ）とポンプ継続可能な弁（７ｅ）（７ｄ）が継続されている香成分添加器である。
【図面の簡単な説明】
【００１８】
【図１】本発明の実施例の相対支柱の一部を切断したものの正面図
【図２】本発明の実施例の相対支柱の一部を切断したものの平面図
【図３】本発明の実施例の複数支柱の一部を切断したものの正面図
【図４】本発明の実施例の複数支柱の一部を切断したものの平面図
【符号の説明】
【００１９】
１                                  円柱
２    ２ａ  ２ｂ                    支柱
３    ３ａ  ３ｂ                    穴
４    ４ａ                          円柱台
５    ５ａ                          基台
６    ６ａ                          通気穴
７    ７ａ  ７ｂ  ７ｃ  ７ｄ  ７ｅ  弁
８    ８ａ  ８ｂ                    槽
９    ９ａ  ９ｂ  ９ｃ              香管
１０  １０ａ                        枠
１１  １１ａ                        台板
１２                                ゴム管
１３                                制御室
１４  １４ａ  １４ｂ                操作捍
１５  １５ａ                        制御板
１６                                転回器
１７                                伝動柱
１８                                制御ネジ
１９  １９ａ                        紐
２０  ２０ａ                        蓋
Ａ                                  ポンプ
Ｂ  Ｂａ                            香料
Ｃ                                  加熱器
Ｄ                                  分岐点  
【図１】
2007130040.tif 000003
【図２】
2007130040.tif 000004
【図３】
2007130040.tif 000005
【図４】
2007130040.tif 000006